【事件の表示】
　平成　９年特許願第３３０２２９号「タッチパネル装置」拒絶査定不服審判事件〔平成１１年　６月１８日出願公開、特開平１１−１６１４２６〕について、次のとおり審決する。
【結　論】
　本件審判の請求は、成り立たない。
【理　由】
１．手続の経緯
　本願は、平成９年１２月１日の出願であって、平成２０年１０月８日付けで拒絶査定がなされ、これに対し同年１１月１３日に拒絶査定に対する審判請求がなされ、その後、当審において平成２２年９月１６日付けで拒絶理由が通知され、これに対して同年１１月１９日付けで意見書が提出されるとともに、手続補正がなされたものである。
　
２．本願発明について
　本願の請求項１に係る発明（以下、「本願発明」という。）は、平成２２年１１月１９日付け手続補正書に記載された特許請求の範囲の請求項１に記載された次のとおりのものと認める。
　
「ホストコンピュータの入力端末として機能する複数台のタッチパネルと、
　各前記タッチパネルの押下位置をタッチパネル物理座標としてそれぞれ検出するための複数のタッチパネルコントローラと、
　各前記タッチパネルコントローラからそれぞれ出力されるタッチパネル物理座標を、前記ホストコンピュータにおける処理で使用される仮想座標に変換するタッチパネルドライバと、
　前記タッチパネルドライバで変換された前記タッチパネルの押下位置に対応する仮想座標を記憶する１つの仮想記憶部と、
　ホストコンピュータの出力端末として機能する前記タッチパネルが取り付けられたディスプレイ装置と、
　前記タッチパネルの押下位置と前記ディスプレイ装置上の補正点の表示位置との物理的偏倚量を検出し、この物理的偏倚量を補正するための補正係数を、各前記タッチパネルごとに算出する補正係数算出手段と、
を備えるタッチパネル装置であって、
　前記タッチパネルドライバが、前記タッチパネルの番号の関数として定められたディスプレイ座標変換情報に基づいてディスプレイ物理座標を仮想座標に変換し、前記複数台のタッチパネルのそれぞれの押下位置に対応する前記仮想座標を前記１つの仮想記憶部内に記憶させること、および、
　前記補正係数算出手段によって算出された各前記補正係数を使用して、各前記タッチパネルごとに、当該タッチパネルの押下位置に対応する仮想座標が補正されること、を特徴とするタッチパネル装置。」
　
３．引用例
　当審における拒絶の理由で引用した特開昭６３−１７３１１９号公報（以下、「引用例」という。）には、図面とともに以下の事項が記載されている。
　
（ア）「次にここで用いる入力装置について具体的に説明する。この入力装置は、表示装置（ａ）１４，（ｂ）１５とそれぞれ一体化されたもので、第２図（ａ）に示すように、具体的には液晶の表示装置上に透明の導電シートを着装したものである。導電シートは第３図の様に導電膜３１が数１０μのスペーサ３２を介して、固定されており、導電シートをペンで押すと、上下のシートが導通し電流が流れる。この時の電圧をシート膜の４辺で測定することにより、導通点を検出するものである。この様な入力装置を用いることにより、入力された点の位置座標を検出できると同時にその位置を液晶ディスプレィに表示することができる。これにより、位置検出装置上で文字などを書けば、あたかも紙上に文字を描いているかの様な入力装置が実現できる。 
　ここではこの様な入力装置を２台接続して用いることにより、本を開いた様な状態で文字などの入力を行う。従って第１図のブロック図では位置入力装置１１と表示装置１４、位置入力装置１２と表示装置１５は分離されているが、形状は一体化された装置であり、また各一体化された入出力装置は１つの制御装置１３によりコントロールされ、お互いの１辺を軸として開閉可能なように接続部２２を介して接続されている。ここで、各入出力装置と制御装置との制御線には、フレキブルコード２１を用いている。（図２（ｂ））」（第２頁右上欄第２０行〜右下欄第５行） 
 　 
（イ）「次に座標データ編集処理部に制御が移り、座標値を入力するために、第５図に示すフロー図の動作を行う。すなわち、位置データバッファ４６１を初期化し（第５図５１）、入力部４１に制御が移り、入力部４１では位置入力装置（ａ）１１、位置入力装置（ｂ）１２のスティタスを調べ、ペンがＯＮかＯＦＦを知る（第５図５２）。ペンがＯＮのときはその座標位置データを読み込み、位置データバッファ４６１に格納する（第５図５３）。この時に、入力された装置名もともに格納する（第５図５４）。次に入力データ処理部４２に制御が移り、得られた座標値及び装置名から、座標値または編集コマンドを座標データ編集処理部４３に出す処理に移る。入力データ処理部４２では、まず、入力された座標データ及び装置名から、第６図（ａ）に示す様に内部処理を行なうための座標値に変換する。具体的には装置（ａ）のｘ方向に装置（ｂ）が接続されており、例えば、装置（ｂ）の（ｘｂ，ｙｂ）点は、ｘ方向に装置（ａ）のｘ軸の最大値が足され、（ｘｂ＋ｘａｍａｘ，ｙｂ）へと変換される。ここで変換された後の座標値が編集コマンドエリア内であれば、その与えられた座標に対応する編集コマンドを座標データ編集処理部４３に出力し、再度ペンの座標を読み出す動作に移る（第５図５５，５６，第６図（ｂ））。」（第３頁左上欄第１８行〜左下欄第２行） 
 　 
（ウ）「ここで処理されたデータを表示するためには、表示する為のコマンド及びパラメータを、表示データ処理部４４へ受け渡す（第５図５８）。表示データ処理部４４では、まず、受け取ったコマンドを解析し、内部の各処理部を呼び出し、パラメータを受け渡す。各処理部は、与えられたパラメータから、各処理方法に応じて座標列に展開し、その展開された座標値列から入力データ処理部４２で行なった変換と逆の操作で実際に表示する表示装置名と対応する座標値列とに変換し（第６図（ａ））、出力データバッファ４６２へ格納する。」（第３頁右下欄第５行〜第１５行） 
 　 
（エ）「表示部４５では、出力データバッファ４６２に格納された座標値列を、指定された表示装置１４，１５へ出力する。上記の操作により、入力者は、ノート状に開かれた、座標入出力装置上で、紙上にペンで描くように入力することが可能となる。」（第４頁左上欄第２行〜第７行） 
　
　以上の記載によれば、この引用例には、以下の発明（以下、「引用発明」という。）が開示されていると認められる。
　
 「位置入力装置（ａ）１１と表示装置１４、位置入力装置（ｂ）１２と表示装置１５は、形状が一体化された装置であり、お互いの１辺を軸として開閉可能なように接続部２２を介して接続され、 
　入力部４１では、ペンがＯＮのときはその座標位置データを読み込み、入力された装置名とともに位置データバッファ４６１に格納し、 
　入力データ処理部４２では、入力された座標データ及び装置名から、位置入力装置（ａ）１１のｘ方向に位置入力装置（ｂ）１２が接続されているから、位置入力装置（ｂ）１２の（ｘｂ，ｙｂ）点は、ｘ方向に位置入力装置（ａ）１１のｘ軸の最大値が足され、（ｘｂ＋ｘａｍａｘ，ｙｂ）へと変換し、変換された後の座標値が編集コマンドエリア内であれば、その与えられた座標に対応する編集コマンドを座標データ編集処理部４３に出力し、
　表示データ処理部４４では、受け取ったコマンドを解析し、内部の各処理部にパラメータを受け渡し、 
　各処理部は、与えられたパラメータから、各処理方法に応じて座標列に展開し、その展開された座標値列から入力データ処理部４２で行なった変換と逆の操作で実際に表示する表示装置名と対応する座標値列とに変換し、出力データバッファ４６２へ格納し、 
　表示部４５では、出力データバッファ４６２に格納された座標値列を、指定された表示装置１４、１５へ出力し、
　ノート状に開かれ、紙上にペンで描くように入力することが可能となる座標入出力装置。」 
　
４．対比
　本願発明と引用発明を対比する。
　
　引用発明において、座標入出力装置は紙上にペンで描くように入力することが可能で、位置入力装置（ａ）１１と表示装置１４、位置入力装置（ｂ）１２と表示装置１５は、形状が一体化された装置であるので、引用発明の「位置入力装置（ａ）１１」と「位置入力装置（ｂ）１２」は、本願発明の「複数台のタッチパネル」に相当し、引用発明の「表示装置１４」と「表示装置１５」は、本願発明の「タッチパネルが取り付けられたディスプレイ装置」に相当する。
　
　引用発明の「入力部４１」は、ペンがＯＮのときはその座標位置データを読み込み、入力された装置名とともに位置データバッファ４６１に格納するので、引用発明の「入力部４１」と、本願発明の「各前記タッチパネルの押下位置をタッチパネル物理座標としてそれぞれ検出するための複数のタッチパネルコントローラ」とは、各前記タッチパネルの押下位置をタッチパネル物理座標としてそれぞれ検出するためのタッチパネルコントローラである点で共通する。
　
　引用発明の「入力データ処理部４２」は、入力された座標データ及び装置名から、位置入力装置（ｂ）１２の（ｘｂ，ｙｂ）点は、ｘ方向に位置入力装置（ａ）１１のｘ軸の最大値が足され、（ｘｂ＋ｘａｍａｘ，ｙｂ）へと変換するので、引用発明において、変換された座標は、２つの位置入力装置の入力位置が仮想的に１つの位置入力装置の座標であるかのように変換するものであり、仮想座標といえる。したがって、引用発明の「入力データ処理部４２」と、本願発明の「各前記タッチパネルコントローラからそれぞれ出力されるタッチパネル物理座標を、前記ホストコンピュータにおける処理で使用される仮想座標に変換するタッチパネルドライバ」とは、タッチパネルコントローラからそれぞれ出力されるタッチパネル物理座標を、処理で使用される仮想座標に変換する手段である点で共通する。
　
　引用発明の「座標入出力装置」は、本願発明の「タッチパネル装置」と、タッチパネル装置である点で共通する。
　
　したがって、両者は、
「複数台のタッチパネルと、
　各前記タッチパネルの押下位置をタッチパネル物理座標としてそれぞれ検出するためのタッチパネルコントローラと、
　各前記タッチパネルコントローラからそれぞれ出力されるタッチパネル物理座標を、処理で使用される仮想座標に変換する手段と、
　前記タッチパネルが取り付けられたディスプレイ装置と、
　を備えるタッチパネル装置。」
で一致するものであり、次の点で相違している。
　
［相違点１］
　本願発明の「タッチパネル」は、ホストコンピュータの入力端末として機能し、「タッチパネルが取り付けられたディスプレイ装置」は、ホストコンピュータの出力端末として機能するのに対し、引用発明の「位置入力装置（ａ）１１」と「位置入力装置（ｂ）１２」は、ホストコンピュータの入力端末として機能するかどうか明らかではなく、「表示装置１４」と「表示装置１５」は、ホストコンピュータの出力端末として機能するのかどうか明らかではない点。
　
［相違点２］
　本願発明の「タッチパネルコントローラ」は、複数備えられるのに対し、引用発明の「入力部４１」は、複数ではない点。
　
［相違点３］
　本願発明では、各前記タッチパネルコントローラからそれぞれ出力されるタッチパネル物理座標を、前記ホストコンピュータにおける処理で使用される仮想座標に変換するタッチパネルドライバを備えるのに対し、引用発明では、座標を変換するのは、「入力データ処理部４２」であり、タッチパネルドライバではない点。
　
［相違点４］
　本願発明では、タッチパネルドライバで変換された複数台のタッチパネルのそれぞれの押下位置に対応する仮想座標を記憶する１つの仮想記憶部を備えるのに対し、引用発明では、変換された座標を記憶する仮想記憶部を備えるかどうか明らかではない点。
　
［相違点５］
　本願発明では、タッチパネルの押下位置と前記ディスプレイ装置上の補正点の表示位置との物理的偏倚量を検出し、この物理的偏倚量を補正するための補正係数を、各前記タッチパネルごとに算出する補正係数算出手段を備え、前記補正係数算出手段によって算出された各前記補正係数を使用して、各前記タッチパネルごとに、当該タッチパネルの押下位置に対応する仮想座標が補正されるのに対し、引用発明では、このような補正係数算出手段を有しておらず、変換された座標は補正係数によって補正されない点。
　
［相違点６］
　本願発明では、タッチパネルドライバが、前記タッチパネルの番号の関数として定められたディスプレイ座標変換情報に基づいてディスプレイ物理座標を仮想座標に変換するのに対し、引用発明では、入力データ処理部４２は、入力された座標データ及び装置名から座標を変換する点。
　
５．当審の判断
　上記相違点１〜６について検討する。
　
［相違点１］について
　入力装置をホストコンピュータの入力端末として使用することや、表示装置をホストコンピュータの出力端末として使用することは、普通に行われていることであり、引用発明において、位置入力装置（ａ）１１、（ｂ）１２をホストコンピュータの入力端末として使用し、表示装置１４、１５を前記ホストコンピュータの出力端末として使用するとともに、入力データ処理部４２が出力する、変換された後の座標値を前記ホストコンピュータにおける処理で使用する座標とすることは、当業者が適宜なし得る事項である。 
　
［相違点２］について
　複数の装置を１つの制御部で制御するように構成するか、複数の制御部で制御するように構成するかは、当業者が適宜選択し得る設計的事項であり、引用発明において入力装置毎に制御部を設けて、本願発明のようにタッチパネルコントローラが複数備えられる構成とすることは当業者が容易に想到し得たものである。
　
［相違点３］について
 　特開平８−１０１８０３号公報の段落【０００２】、特開平６−１９６８９号公報の【０００３】〜【００１０】に記載されるように、周辺機器を動作させるソフトウェアをデバイスドライバとして提供することは、本願の出願日前に周知の技術であるから、引用発明の入力データ処理部４２において、位置入力装置（ｂ）１２の（ｘｂ，ｙｂ）点を（ｘｂ＋ｘａｍａｘ，ｙｂ）へと変換する処理をタッチパネルドライバで実現することは、当業者が容易に想到し得たものである。 
 　
［相違点４］について
　特開平８−２３４９０８号公報の段落【０００２】〜【０００３】、特開平５−１４３７８０号公報の【請求項１】、段落【０００９】〜【００１０】に記載されるように、タッチパネル装置において、順次入力される座標を記憶することは、本願の出願日前に周知の技術であるから、引用発明において複数の位置入力装置（ａ）１１、（ｂ）１２からの変換された後の座標値を記憶するようにすることは、当業者が容易に想到し得たものである。 
　
［相違点５］について
 　特開平４−２６０９１４号公報の【請求項１】、段落【００１１】〜【００１６】、特開平２−５９９２０号公報の第３頁左上欄第２行〜第４頁左上欄下から第５行に記載されるように、タッチパネルの押下位置とディスプレイ装置上の補正点の表示位置との物理的偏倚量を検出し、この物理的偏倚量を補正するための補正係数を算出し、前記算出された補正係数を使用して前記タッチパネルの押下位置を補正することは、本願の出願日前に周知の技術であり、タッチパネルが複数あれば、タッチパネルごとに別々に補正係数を算出し、補正する必要があることは当然のことであるから、引用発明に前記周知技術を適用して、位置入力装置（ａ）１１、（ｂ）１２ごとに位置入力装置と表示装置の物理的偏倚量を補正するための補正係数を求め、変換した座標を位置入力装置（ａ）１１、（ｂ）１２ごとに補正係数で補正する構成とすることは当業者が容易に想到し得たものである。
　
［相違点６］について
　引用発明の入力データ処理部４２は、入力された座標データ及び装置名から、位置入力装置（ｂ）１２の（ｘｂ，ｙｂ）点を（ｘｂ＋ｘａｍａｘ，ｙｂ）へと変換しているが、一般に装置名を番号で表すことは普通に行われており、位置入力装置を判別するために用いる装置名に代えて装置番号とすることは当業者が容易に想到し得たものである。そして、引用発明において上記のように変換するためのｘａｍａｘ等の情報は装置名と関連付けられていることは明らかであって、引用発明において、装置名に代えて装置番号とした場合、変換するための情報との関連づけを、番号を関数とすることによって行うことに格別の困難性はない。したがって、引用発明を、本願発明のようにタッチパネルの番号の関数として定められたディスプレイ座標変換情報に基づいてディスプレイ物理座標を仮想座標に変換するように構成することは当業者が容易に想到し得たものである。 
　
　そして、本願発明の作用効果も、引用発明及び周知技術から当業者が予測できる範囲のものである。
　
６．むすび
　以上のとおり、本願の請求項１に係る発明は、引用発明及び周知技術に基づいて、当業者が容易に発明をすることができたものであるから、特許法第２９条第２項の規定により特許を受けることができない。 
　
　よって、結論のとおり審決する。